(57)【要約】【課題】  簡単な操作で携帯時などに不用意にノックされるのを防止可能とする。【構成】  筆記体と連接した複数のノック部材の操作部を後軸後端部に至り設けたそれぞれの縦窓孔に突出させ、各ノック部材を軸先方に摺動させることにより選択的に筆記部を先軸の先端孔から突出係止させるようにした複式筆記具において、後軸の後端に、後軸に対して適宜範囲で回動するように天冠が設けられ、その天冠の軸心部前端に、円周上の所要箇所で係止凸部が設けられて、また、前記各ノック部材の後端部に係止突起が形成されて、ノック部材が後軸の後端側に後退した状態で前記天冠を一方に回動した時に、前記係止凸部がノック部材の係止突起に係合してノック部材の前進が阻止され、また、天冠を他方に回動した時に、係止凸部がノック部材の係止突起から係合離脱してノック部材の前進が自在となるロック装置が設けられてなる。【選択図】        図１
2006035638.tif 000002
【特許請求の範囲】
【請求項１】
筆記体と連接した複数のノック部材の操作部を後軸後端部に至り設けたそれぞれの縦窓孔に突出させ、各ノック部材を軸先方に摺動させることにより選択的に筆記部を先軸の先端孔から突出係止させるようにした複式筆記具において、
後軸の後端に、後軸に対して適宜範囲で回動するように天冠が設けられ、その天冠の軸心部前端に、円周上の所要箇所で係止凸部が設けられて、また、前記各ノック部材の後端部に係止突起が形成されて、ノック部材が後軸の後端側に後退した状態で前記天冠を一方に回動した時に、前記係止凸部がノック部材の係止突起に係合してノック部材の前進が阻止され、また、天冠を他方に回動した時に、係止凸部がノック部材の係止突起から係合離脱してノック部材の前進が自在となるロック装置が設けられてなることを特徴とする複式筆記具。
【発明の詳細な説明】
【技術分野】
【０００１】
本発明は、ノック部材を軸先方に摺動させることにより選択的に筆記部を先軸の先端孔から突出係止させるようにした複式筆記具の改良に関する。
【背景技術】
【０００２】
【特許文献１】特開２００１−２２５５８８
【特許文献２】実開平７−１１３８２（特許文献１）  軸本体内に複数の筆記体を有し、筆記体は弾発部材により軸本体後方に付勢されるが、筆記体の後端に取り付けられているノック部材を前進させて、ノック部材を軸本体に係合させることにより、筆記体を軸本体から突出させるようにした複式筆記具が一般的に知られている。（特許文献２）  後端に設けられた押圧部材をノックすることにより軸先から筆記先端部を出没可能とするノック式筆記具が示されている。このノック式筆記具は、携帯時などに誤ってノックしてしまい、ペン先が突出してポケットや衣服などを汚してしまうという問題を回避する目的で押圧部材がノックされないように押圧部材を外力から保護する遮蔽部材が取付けられている。
【発明の開示】
【発明が解決しようとする課題】
【０００３】
本発明は、上記複式筆記具に於いて、携帯時などに不用意にノックされるのを防止することを目的とし、複数箇所に設けられたノック部が簡単かつ解りやすい操作でロック可能となるロック装置を設け、且つロック装置は見栄えが良く、筆記や携帯に際して邪魔とならないことを課題とする。
【課題を解決するための手段】
【０００４】
本発明は、上記課題を達成するために以下の構成を有する。
請求項１に記載の発明に係る複式筆記具は、筆記体と連接した複数のノック部材の操作部を後軸後端部に至り設けたそれぞれの縦窓孔に突出させ、各ノック部材を軸先方に摺動させることにより選択的に筆記部を先軸の先端孔から突出係止させるようにした複式筆記具において、後軸の後端に、後軸に対して適宜範囲で回動するように天冠が設けられ、その天冠の軸心部前端に、円周上の所要箇所で係止凸部が設けられて、また、前記各ノック部材の後端部に係止突起が形成されて、ノック部材が後軸の後端側に後退した状態で前記天冠を一方に回動した時に、前記係止凸部がノック部材の係止突起に係合してノック部材の前進が阻止され、また、天冠を他方に回動した時に、係止凸部がノック部材の係止突起から係合離脱してノック部材の前進が自在となるロック装置が設けられてなる。
【発明の効果】
【０００５】
本発明の複式筆記具は、複数箇所に設けられたノック部が簡単かつ解りやすい操作でロック可能となり、携帯時などに不用意にノックされるのが防止できる。また、筆記先端部を突出した状態でロックすれば、筆記体突出の係止部が不用意に外れて筆記先端部が没入する不具合をを防止できる。また更に、ロック装置は見栄えが良く、筆記や携帯に際して邪魔とならない。
【発明を実施するための最良の形態】
【０００６】
以下、本発明の実施形態について、図面を参照しながら説明する。
図１乃至図２５は本発明の実施形態を示している。先ず、図１は筆記体として３色のボールペンが摺動自在に配置されている複式筆記具を示している。（尚、図面に於いては透視の都合から２本の筆記体しか示されていない。）また、ボールペンは高粘度の油性インキを使用したもの、低粘度あるいは剪断減粘性を有する水性、油性のインキを使用したものなど自由である。また、筆記体はボールペンばかりではなくシャープペンシルなどであっても良い。１は軸本体であり、その軸本体１は、先軸３と後軸２と後軸２の前方内孔部に固定された中駒５とより構成されている。また、先軸３と後軸２は螺合等の手段により離脱可能に固定されてなる。
軸本体の構成は上記に限定されず設けることが可能である。
【０００７】
後軸２には、長手方向に３箇所の縦窓孔２ａが形成されている。実施例は筆記体９で示されるボールペンの数が３本であるが、この筆記体９の本数によって縦窓孔２ａの数が設定される。また、縦窓孔２ａの両側にはリブ２ｇが形成され、リブ２ｇの前端はノック部材の後端係止部６ｂを係合する段部２ｈとなっている。
また、中駒５は、各筆記体９の挿通孔を有すると共に、中駒５を後軸２に組み付けた際に相互間に形成されたリブと溝の係合で回転止めされると共に、後軸２の内周部と中駒５の外周部に形成された凹凸部の弾性変形によって係合し、中駒５が後軸２に固定される。  
【０００８】
図２４及び図２５はノック部材６を示している。このノック部材６の前端に筆記体９の後端が着脱可能に止着され、ノック部材６は、筆記体９の先端が中駒５の挿通孔を貫通した状態に後軸２の縦窓孔２ａから挿着される。その際、中駒５の後端側とノック部材６の前端側との間にリターンスプリングが敷設（図示せず）され、常時、ノック部材６は後軸２に対して後方に附勢されている。尚、ノック部材６と中駒５の取付けは上記の手順に限定されない。
【０００９】
次に、本発明の要旨であるロック装置について説明する。
ロック装置は、後軸後端の軸部２ｂと、軸部２ｂに適宜範囲で回動可能に止着される天冠７と、天冠７の軸心部に天冠と一体に回動するように接合された係止部材８とで構成されている。先ず、構成部材について説明する。
図１５及び図１６は後軸２を示している。その後軸２の後端にはやや小径となされた軸部２ｂが形成されており、軸部２ｂの外周には周状の凸部２ｃが設けられている。（凸部２ｃは周上の所要箇所に部分的な凸部として設けられてもよい。）また、軸部２ｂの内周には係合凹部２ｄ、２ｅとストッパー凸部２ｆが形成されている。
【００１０】
図１７乃至図２０は係止部材８を示している。
図に示すように、係止部材８は、ほぼ筒状をなし、後方の軸部８ｃの後端に直径方向で適宜深さのスリット８ｄが形成され、スリット８ｄに直角な軸線が軸部８ｃと交わる軸部８ｃ後端外周に２箇所で係合凸部８ｅが形成されている。（係合凸部８ｅの形状は半円状、角状などで設けられる。）また、スリット８ｄを挟む両側に段部８ｈ、８ｉが形成された規制凹部８ｇが設けられている。この段部８ｈ、８ｉが後述する後軸のストッパー凸部２ｆに当接して係止部材８の回動範囲が規制される。
また、内孔８ｊの内面に溝部８ｆが形成されている。実施形態では係合凸部８ｅと同方向に２箇所で形成されているが、数や位置が限定されるものではない。
また、軸部８ｃの前方に凹部８ｂと前端に係止凸部８ａが形成されている。この係止凸部８ａは、後述するノック部材６後端の係止突起６ａに対接する箇所で形成されている。  
【００１１】
図２１乃至図２３は天冠７を示している。
図に示すように、天冠７は、キャップ状をなし、頂部に貫通孔７ａが設けられ、前方の内孔部軸心に軸部７ｃとその軸部７ｃの外周にリブ状の突部７ｄが形成されている。また、内孔部の周面には周状の凹溝７ｂが形成されている。
尚、天冠７の頂部の貫通孔は紐などを取付けるための孔として用いられる。
【００１２】
次に、ロック装置の詳細な構成と作用について説明する。
先ず、天冠７の軸部７ｃ外周に設けられたリブ状の突部７ｄを係止部材８の溝部８ｆに嵌入させて、天冠７と係止部材８が回動方向で一体となされ、その状態で天冠７が後軸２の軸部２ｂに嵌着されて、軸部２ｂの凸部２ｃが天冠７の凹溝７ｂに弾性的に係合し、後軸２に対して天冠７及び係止部材８が回動可能となる。尚、通常ロック装置は、ノック部材６が後軸２に止着された状態で、ノック部材６の係止突起６ａが係止部材８の係止凸部８ａに係合しない位置で取付けられる。（図４参照）
【００１３】
図１、図２、図３及び図６、図９、図１２は、筆記体９が収納されたされた状態でノック部材６の係止突起６ａが係止部材８の係止凸部８ａに係合する状態となるように示されている。この状態でノック操作しようとしてもノック部材６の前進が係止部材８によって阻止される。
ところで、図１０は図９のＢ−Ｂ断面を示しており、軸筒の軸部２ｂ内孔に設けられたストッパー突部２ｆが係止部材８の規制溝部８ｇに挿入すると共に、規制溝部の一方の段部８ｈに当接し、図７は図６のＡ−Ａ断面を示しており、軸筒の軸部２ｂ内孔に設けられた係止凹部２ｅに係止部材８の係合突部８ｅが係合した状態となってロック装置のロック状態が位置決め固定され、図１３は図１２のＣ−Ｃ断面矢視を示しており、係止部材８の係止突部８ａの後方にノック部材６の係止突起６ａが対接した状態にある。
【００１４】
また、図４には、筆記体９が収納されたされた状態でノック部材６の係止突起６ａが係止部材８の係止凸部８ａから係合解除された状態が示されている。
ところで、図１１はこの係合解除された状態に於ける図９のＢ−Ｂ断面位置に対応した断面を示しており、軸筒の軸部２ｂ内孔に設けられたストッパー突部２ｆが係止部材８の規制溝部８ｇの他方の段部８ｉに当接し、同じく図８は図６のＡ−Ａ断面位置に対応した断面を示しており、軸筒の軸部２ｂ内孔に設けられた係止凹部２ｄに係止部材８の係合突部８ｅが係合した状態となってロック装置のロック解除状態が位置決め固定され、また更に図１４は図１２のＣ−Ｃ断面矢視位置に対応した断面矢視を示しており、係止部材８の係止突部８ａがノック部材６の係止突起６ａが係合を離脱した状態を示している。
尚、ロック装置のロックとロック解除の回動方向は限定されず設定可能である。
【００１５】
図４の状態から一箇所のノック部材６を前進させ、その筆記体９の先端部を軸先から突出させた状態で、軸筒２に対して天冠７を左に回動すると、ストッパー凸部２ｆが規制溝部８ｇの段部８ｈに当接し、図５に示される状態となる。この状態で他のノック部材６は、その係止突起６ａが係止部材８の係止凸部８ａに係合状態となるので外力が掛かってもノック操作されることも無く、そのために、筆記中に軸先から突出した筆記体の先端部が不用意に没入する問題が防止可能となる。
【００１６】
上述したロック装置に於いて、軸筒の軸部２ｂ内孔に設けられたストッパー突部２ｆが係止部材８の規制溝部８ｇの段部８ｈと段部８ｉに当接する間の係止部材８即ち天冠７が回動する角度範囲は略４５度となされている。この回動範囲は複式筆記具が３色または４色の筆記体が搭載された場合に適当な範囲であり、従って、回動範囲は搭載される筆記体の数により変動する。
また、ロック装置のロック状態あるいはロック解除状態が明確に位置決めされるように固定され、軸筒の軸部２ｂ内孔に係止凹部２ｅ、２ｄに係止部材８の係合突部８ｅが係合するようになされているが、単に位置決めのためだけでなく、係合部の係脱によるクリック感、クリック音などの効果によりロック操作の操作性を良好とする。また、スリット８ｄは最適なクリック効果を得るために設けられている。
尚、軸筒の係止凹部に係止部材の係合突部が係合する機能は、ロック操作の操作性を良くする上で設けられることが望ましいが、必ず設けなければならないものでもない。
設けない場合には、上述した軸筒の軸部２ｂ内孔に設けられたストッパー突部２ｆが係止部材８の規制溝部８ｇの段部８ｈと段部８ｉに当接する箇所で、相互間に適宜係合する部を設けて位置決め固定できるように容易に設けることが可能である。
【００１７】
（他の実施形態）
図２６には、天冠７と係止部材８の軸心に棒状の弾性体１０がその前端を係止部材８の前端から適宜突出させた状態で固定して設けられており、ノック部材６が後退したときに後端が衝撃的に当接するのを緩和する。尚、弾性体はゴム、軟質樹脂、バネ等の弾性材よりなり、縦窓孔２ａの後端部、係止部材８の凹部８ｂの後端部、係止部材８の前端で係止凸部８ａの内側などに設けることが可能である。
【図面の簡単な説明】
【００１８】
【図１】本発明の実施形態である複式筆記具の全体を示す縦断面図で、ノック部材が作動しないようにロックされた状態を示している。
【図２】図１における外観を示す正面図である。
【図３】図１の直角方向の縦断面図である。
【図４】ロック装置のロックが解除された状態の縦断面図である。
【図５】一箇所の筆記体が軸先から突出した状態でロック装置がロックされた状態の縦断面図である。
【図６】図１の状態のロック装置部位を拡大して示した図である。
【図７】図６のＡ−Ａ断面図である。
【図８】ロック解除状態の図６のＡ−Ａ断面相当図である。
【図９】図１の状態のロック装置部位を拡大して示した図である。
【図１０】図９のＢ−Ｂ断面図である。
【図１１】ロック解除状態の図９のＢ−Ｂ断面相当図である。
【図１２】図１の状態のロック装置部位を拡大して示した図である。
【図１３】図１２のＣ−Ｃ断面矢視図である。
【図１４】ロック解除状態の図１２のＣ−Ｃ断面矢視相当図である。
【図１５】軸筒の断面図である。
【図１６】図１５の直角方向の断面図である。
【図１７】係止部材の正面図である。
【図１８】係止部材の断面図である。
【図１９】図１７のＤ−Ｄ矢視図である。
【図２０】図１７のＥ−Ｅ矢視図である。
【図２１】天冠の断面図である。
【図２２】図２１の直角方向の断面図である。
【図２３】図２１のＦ−Ｆ矢視図である。
【図２４】ノック部材の正面図である。
【図２５】ノック部材の側面図である。
【図２６】ロック装置部位の他の実施形態示した図である。
【符号の説明】
【００１９】
１      軸本体
２      後軸
２ａ    縦窓孔
２ｂ    軸部
２ｃ    凸部
２ｄ    係合凹部
２ｅ    係合凹部
２ｆ    ストッパー凸部
２ｇ    リブ
２ｈ    段部
３      先軸
４      グリップ
５      中駒
６      ノック部材
６ａ    係止突起
６ｂ    後端係止部
７      天冠
７ａ    貫通孔
７ｂ    凹溝
７ｃ    軸部
７ｄ    突部
８      係止部材
８ａ    係止凸部
８ｂ    凹部
８ｃ    軸部
８ｄ    スリット
８ｅ    係合凸部
８ｆ    溝部
８ｇ    規制溝部
８ｈ    段部
８ｉ    段部
８ｊ    内孔
９      筆記体
１０    弾性体
【図１】
2006035638.tif 000003
【図２】
2006035638.tif 000004
【図３】
2006035638.tif 000005
【図４】
2006035638.tif 000006
【図５】
2006035638.tif 000007
【図６】
2006035638.tif 000008
【図７】
2006035638.tif 000009
【図８】
2006035638.tif 000010
【図９】
2006035638.tif 000011
【図１０】
2006035638.tif 000012
【図１１】
2006035638.tif 000013
【図１２】
2006035638.tif 000014
【図１３】
2006035638.tif 000015
【図１４】
2006035638.tif 000016
【図１５】
2006035638.tif 000017
【図１６】
2006035638.tif 000018
【図１７】
2006035638.tif 000019
【図１８】
2006035638.tif 000020
【図１９】
2006035638.tif 000021
【図２０】
2006035638.tif 000022
【図２１】
2006035638.tif 000023
【図２２】
2006035638.tif 000024
【図２３】
2006035638.tif 000025
【図２４】
2006035638.tif 000026
【図２５】
2006035638.tif 000027
【図２６】
2006035638.tif 000028